(57)【要約】【課題】デザイン性を保ったまま金属枠にスリットを配置できる筐体を提供する。【解決手段】携帯通信端末の筐体（３）は、筐体（３）の外周に配置された金属枠（６）を備え、金属枠（６）には当該金属枠（６）を分断するスリット（５）が設けられており、スリット（５）は、透明部材（７）によって充填されており、スリット（５）の筐体外部側の開口面に対して垂直な方向から観察したときに、スリット（５）が金属枠（６）によって遮蔽されている。【選択図】図３
2019097039.tif 000002
【特許請求の範囲】
【請求項１】
携帯通信端末の筐体であって、
前記筐体の外周に配置された金属枠を備え、
前記金属枠には当該金属枠を分断するスリットが設けられており、
前記スリットは、透明部材によって充填されており、
前記スリットの筐体外部側の開口面に対して垂直な方向から観察したときに、前記スリットが前記金属枠によって遮蔽されていることを特徴とする筐体。
【請求項２】
前記金属枠は、前記スリットによって複数の金属パーツに分割されており、
前記複数の金属パーツの少なくとも一つは、前記携帯通信端末のアンテナエレメントであることを特徴とする請求項１に記載の筐体。
【請求項３】
前記金属枠は、前記スリットを挟む第一の内壁および第二の内壁を有しており、
前記第一の内壁の少なくとも一部は、前記開口面における前記第一の内壁の位置よりも前記第二の内壁側に突出していることを特徴とする請求項１または２に記載の筐体。
【請求項４】
前記第二の内壁の少なくとも一部は、前記開口面における前記第二の内壁の位置よりも前記第一の内壁側に突出していることを特徴とする請求項３に記載の筐体。
【請求項５】
前記金属枠は、前記第一の内壁と前記第二の内壁とに挟まれた位置に、前記第一の内壁および前記第二の内壁から分離し、前記透明部材に支持されている島部をさらに有していることを特徴とする請求項３または４に記載の筐体。
【請求項６】
前記第一の内壁は、屈曲しており、
前記第二の内壁は、前記第一の内壁に対応するように屈曲していることを特徴とする請求項３〜５の何れか一項に記載の筐体。
【発明の詳細な説明】
【技術分野】
【０００１】
本発明は、複数の金属パーツから構成される金属枠を含む、携帯通信端末の筐体に関する。
【背景技術】
【０００２】
特許文献１には、携帯無線機の筐体外側の金属枠を絶縁性のスリットで分割し、分割された金属枠のそれぞれを用いて異なる特性を持つアンテナを構成する方法が開示されている。
【先行技術文献】
【特許文献】
【０００３】
【特許文献１】特開２０１２−２３５２５８号公報（２０１２年１１月２９日公開）
【発明の概要】
【発明が解決しようとする課題】
【０００４】
しかしながら、上述のような従来技術は、外観部である金属枠にスリットを設けたときにスリットが目立ってしまい、デザイン性が阻害されるという課題がある。
【０００５】
本発明の一態様は、デザイン性を保ったまま金属枠にスリットを配置できる筐体を提供することを主たる目的とする。
【課題を解決するための手段】
【０００６】
上記の課題を解決するために、本発明の一態様に係る筐体は、携帯通信端末の筐体であって、前記筐体の外周に配置された金属枠を備え、前記金属枠には当該金属枠を分断するスリットが設けられており、前記スリットは、透明部材によって充填されており、前記スリットの筐体外部側の開口面に対して垂直な方向から観察したときに、前記スリットが前記金属枠によって遮蔽されている。
【発明の効果】
【０００７】
本発明の一態様によれば、デザイン性を保ったまま金属枠にスリットを配置することができる。
【図面の簡単な説明】
【０００８】
【図１】本発明の一実施形態に係る筐体の外観を示す斜視図である。
【図２】本発明の一実施形態に係る筐体と無線部との接続を示す模式図である。
【図３】本発明の実施形態１に係る金属枠の正面図及び側面図である。
【図４】本発明の実施形態２に係る金属枠の正面図及び側面図である。
【図５】本発明の実施形態３に係る金属枠の正面図及び側面図である。
【図６】本発明の実施形態４に係る金属枠の正面図及び側面図である。
【図７】従来技術に係る金属枠の正面図及び側面図である。
【発明を実施するための形態】
【０００９】
以下、図面に基づいて本発明の実施の形態を詳細に説明する。ただし、本実施形態に記載されている構成は、特に特定的な記載がない限り、この発明の範囲をそれのみに限定する趣旨ではなく、単なる説明例に過ぎない。また説明の便宜上、各実施形態に示した部材と同一の機能を有する部材については、同一の符号を付し、適宜その説明を省略する。
【００１０】
本発明の態様に係る筐体は、無線信号による通信機能を有する携帯通信端末を囲う筐体
である。携帯通信端末としては、携帯電話機、スマートフォン、又はタブレット型端末を例に挙げているが、これらに限定されない。
【００１１】
図１は、本発明の一態様に係る筐体の外観を示す斜視図である。図１に示すように、金属枠６は、携帯通信端末の筐体３の外周に配置されており、一つ以上のスリット５によって分断されている。なお、「筐体」とは、携帯通信端末が備える電子部品を格納する部材を指し、「外周」とは、携帯通信端末の筐体３の側面に沿った領域を指す。図１ではスリット５は一か所に形成されているが、スリット５の数、スリット５の位置、又はスリット５の形状は限定されず、自由に配置することができる。また、「筐体外部」および「筐体内部」とは、筐体によって囲われた空間の外側および内側を意味する。
【００１２】
図２は、本発明の一実施形態に係る筐体と無線部との接続を示す模式図である。図２に示すように、金属枠６は、スリット５によって、複数の金属パーツに分割されていてもよく、当該複数の金属パーツの少なくとも一つは、携帯通信端末のアンテナエレメントであってもよい。アンテナエレメントとして使用される金属パーツは、携帯通信端末の無線部１０から給電部１１を介して給電され、分岐無し、または、２肢分岐の先端開放型のアンテナエレメントとして機能する。
【００１３】
〔実施形態１〕
図３は、一実施形態（実施形態１）における金属枠６の正面図および側面図である。なお、「正面図」は、金属枠６を、スリット５の筐体外部側の開口面に対して垂直な方向から観察したときの図であり、「側面図」は、金属枠６を、スリット５の筐体外部側の開口面に平行な方向から観察したときの図である。また、「側面図」における上側が、筐体外部側であり、「側面図」における下側が、筐体内部側である。
【００１４】
図３に示すように、スリット５は、金属枠６の内壁（第一の内壁）６ａと、内壁（第二の内壁）６ｂとに挟まれており、透明部材７によって充填されている。透明部材７は、例えば、透明樹脂である。内壁６ａおよび内壁６ｂは、スリット５の筐体外部側の開口面に対して垂直な観察方向に対して斜めに、互いに平行に形成されており、スリット５の筐体外部側の開口面に対して垂直な方向から観察したときに、スリット５が内壁６ａによって遮蔽されている。
【００１５】
このように、本実施形態に係る金属枠６は、スリット５の筐体外部側の開口面に対して垂直な方向から観察したときに、スリット５が金属枠６によって遮蔽されているように構成されている。換言すれば、金属枠６の筐体外部側の開口部５ａと、開口部５ａから開口面に垂直に降ろした位置に対応する金属枠６の筐体内部側の領域５ｂとの間を、金属枠６の一部によって覆っている。
【００１６】
特に、内壁６ａの少なくとも一部は、スリット５の筐体外部側の開口面における内壁６ａの位置よりも内壁６ｂ側に突出している。
【００１７】
また、別の観点から言えば、スリット５の筐体内部側の開口部は、領域５ｂとは重複しない位置に構成されている。
【００１８】
これにより、金属枠６におけるスリット５が設けられた部分を、スリット５の筐体外部側の開口面に対して垂直な方向（図中視線方向）から観察したときに、透明部材７を介して内壁６ａが見えるため、当該部分の外観と、金属枠６の他の部分の外観との差が小さくなり、スリット５が目立たない。これにより、デザイン性を保ったまま金属枠６にスリット５を配置することができる。
【００１９】
一方、図７に示すように、スリット５が、スリット５の筐体外部側の開口面に対して垂直な方向に設けられている場合、スリット５が樹脂によって充填されていてもいなくても、スリット５が目立ち、デザイン性が低下する。本実施形態によれば、このようなデザイン性の低下を抑制することができる。
【００２０】
〔実施形態２〕
図４は、他の実施形態（実施形態２）における金属枠６の正面図および側面図である。図４に示すように、スリット５は、内壁６ａと、部分６ｂａおよび部分６ｂｂからなる内壁６ｂとに挟まれている。内壁６ｂは、部分６ｂａと部分６ｂｂとの間で屈曲している。内壁６ａと部分６ｂａとに挟まれた部分は、筐体外部側から筐体内部側に向かってテーパ状の形状をしており、内壁６ａと部分６ｂａとに挟まれた部分は、スリット５の筐体外部側の開口面に対して垂直な方向に対して斜めに、互いに平行に形成されている。
【００２１】
本実施形態に係る金属枠６も、実施形態１に係る金属枠６と同様に、スリット５の筐体外部側の開口面に対して垂直な方向から観察したときに、スリット５が金属枠６によって遮蔽されているように構成されている。
【００２２】
特に、内壁６ａの少なくとも一部は、スリット５の筐体外部側の開口面における内壁６ａの位置よりも内壁６ｂ側に突出しており、内壁６ｂの部分６ｂａは、スリット５の筐体外部側の開口面における内壁６ｂの位置よりも内壁６ａ側に突出している。
【００２３】
また、別の観点から言えば、スリット５の筐体内部側の開口部を覆うように、内壁６ｂが内壁６ａ側に突出している。
【００２４】
これにより、金属枠６におけるスリット５が設けられた部分を、スリット５の筐体外部側の開口面に対して垂直な方向（図中視線方向）から観察したときに、透明部材７を介して内壁６ａおよび部分６ｂａが見えるため、当該部分の外観と、金属枠６の他の部分の外観との差が小さくなり、スリット５が目立たない。これにより、デザイン性を保ったまま金属枠６にスリット５を配置することができる。
【００２５】
〔実施形態３〕
図５は、他の実施形態（実施形態３）における金属枠６の正面図および側面図である。図５に示すように、スリット５は、部分６ａａおよび部分６ａｂからなる内壁６ａと、部分６ｂａおよび部分６ｂｂからなる内壁６ｂとに挟まれている。内壁６ａは、部分６ａａと部分６ａｂとの間で屈曲している。内壁６ｂは、部分６ｂａと部分６ｂｂとの間で屈曲している。部分６ａａと部分６ｂａとに挟まれた部分は、筐体外部側から筐体内部側に向かってテーパ状の形状をしており、部分６ａｂと部分６ｂｂとに挟まれた部分は、筐体内部側から筐体外部側に向かってテーパ状の形状をしている。そして、部分６ａｂと部分６ｂｂとに挟まれた位置に、島部６ｃが設けられている。
【００２６】
島部６ｃは、透明部材７によって部分６ａｂと部分６ｂｂとに挟まれた位置に支持されており、内壁６ａおよび内壁６ｂからは分離している。このような島部６ｃは、例えば、インサート成形等によって形成することができる。
【００２７】
本実施形態に係る金属枠６も、実施形態１に係る金属枠６と同様に、スリット５の筐体外部側の開口面に対して垂直な方向から観察したときに、スリット５が金属枠６によって遮蔽されているように構成されている。
【００２８】
特に、内壁６ａの部分６ａａは、スリット５の筐体外部側の開口面における内壁６ａの位置よりも内壁６ｂ側に突出しており、内壁６ｂの部分６ｂａは、スリット５の筐体外部側の開口面における内壁６ｂの位置よりも内壁６ａ側に突出している。さらに、部分６ａａと部分６ｂａとの間隙に対応する位置に島部６ｃが配置されている。
【００２９】
また、別の観点から言えば、スリット５の最狭部、すなわち、内壁６ａａと内壁６ａｂとの境界と、内壁６ｂａと内壁６ｂｂとの境界との間を、筐体内部側から覆うように、島部６ｃが設けられている。
【００３０】
これにより、金属枠６におけるスリット５が設けられた部分を、スリット５の筐体外部側の開口面に対して垂直な方向（図中視線方向）から観察したときに、透明部材７を介して部分６ａａ、部分６ｂａおよび島部６ｃが見えるため、当該部分の外観と、金属枠６の他の部分の外観との差が小さくなり、スリット５が目立たない。これにより、デザイン性を保ったまま金属枠６にスリット５を配置することができる。
【００３１】
〔実施形態４〕
図６は、他の実施形態（実施形態４）における金属枠６の正面図および側面図である。図６に示すように、スリット５は、部分６ａａおよび部分６ａｂからなる内壁６ａと、部分６ｂａおよび部分６ｂｂからなる内壁６ｂとに挟まれている。内壁６ａは、部分６ａａと部分６ａｂとの間で屈曲している。内壁６ｂは、部分６ｂａと部分６ｂｂとの間で、内壁６ａに対応するように屈曲している。部分６ａａと部分６ｂａとに挟まれた部分は、スリット５の筐体外部側の開口面に対して垂直な方向に対して斜めに、互いに平行に形成されており、部分６ａｂと部分６ｂｂとに挟まれた部分は、スリット５の筐体外部側の開口面に対して垂直な方向に対して、部分６ａａと部分６ｂａとに挟まれた部分とは反対方向に斜めに、互いに平行に形成されている。これにより、スリット５は、屈曲した形状を有している。
【００３２】
本実施形態に係る金属枠６も、実施形態１に係る金属枠６と同様に、スリット５の筐体外部側の開口面に対して垂直な方向から観察したときに、スリット５が金属枠６によって遮蔽されているように構成されている。
【００３３】
すなわち、内壁６ａの部分６ａａは、スリット５の筐体外部側の開口面における内壁６ａの位置よりも内壁６ｂ側に突出している。また、別の観点から言えば、スリット５の筐体内部側の開口部を覆うように、内壁６ａが内壁６ｂ側に突出している。これにより、金属枠６におけるスリット５が設けられた部分を、スリット５の筐体外部側の開口面に対して垂直な方向（図中視線方向）から観察したときに、透明部材７を介して部分６ａａが見えるため、当該部分の外観と、金属枠６の他の部分の外観との差が小さくなり、スリット５が目立たない。さらに、スリット５が屈曲していることにより、どのような方向から観察しても、スリット５が金属枠６によって遮蔽されるため、スリット５が目立つことを好適に抑制することができる。これにより、デザイン性を保ったまま金属枠６にスリット５を配置することができる。
【００３４】
〔まとめ〕
本発明の態様１に係る筐体は、携帯通信端末の筐体（３）であって、前記筐体の外周に配置された金属枠（６）を備え、前記金属枠には当該金属枠を分断するスリット（５）が設けられており、前記スリットは、透明部材（７）によって充填されており、前記スリットの筐体外部側の開口面に対して垂直な方向から観察したときに、前記スリットが前記金属枠によって遮蔽されている。
【００３５】
上記の構成によれば、金属枠におけるスリットが設けられた部分を観察したときに、透明部材を介して金属枠が見えるため、当該部分の外観と、金属枠の他の部分の外観との差が小さくなり、スリットが目立たない。これにより、デザイン性を保ったまま金属枠にスリットを配置することができる。
【００３６】
本発明の態様２に係る筐体は、上記態様１において、前記金属枠は、前記スリットによって複数の金属パーツに分割されており、前記複数の金属パーツの少なくとも一つは、前記携帯通信端末のアンテナエレメントであってもよい。
【００３７】
上記の構成によれば、携帯通信端末のアンテナエレメントとして機能させるために、金属枠の特定の位置にスリットを設ける場合であっても、デザイン性を保ったまま金属枠にスリットを配置することができる。
【００３８】
本発明の態様３に係る筐体は、上記態様１または２において、前記金属枠は、前記スリットを挟む第一の内壁（６ａ）および第二の内壁（６ｂ）を有しており、前記第一の内壁の少なくとも一部は、前記開口面における前記第一の内壁の位置よりも前記第二の内壁側に突出していてもよい。
【００３９】
上記の構成によれば、スリットの開口面における位置よりも第二の内壁側に突出している部分を有する第一の内壁によって、スリットを好適に遮蔽することができる。
【００４０】
本発明の態様４に係る筐体は、上記態様３において、前記第二の内壁の少なくとも一部は、前記開口面における前記第二の内壁の位置よりも前記第一の内壁側に突出していてもよい。
【００４１】
上記の構成によれば、第一の内壁に加えて、スリットの開口面における位置よりも第一の内壁側に突出している部分を有する第二の内壁によって、スリットを好適に遮蔽することができる。
【００４２】
本発明の態様５に係る筐体は、上記態様３または４において、前記金属枠は、前記第一の内壁と前記第二の内壁とに挟まれた位置に、前記第一の内壁および前記第二の内壁から分離し、前記透明部材に支持されている島部（６ｃ）をさらに有していてもよい。
【００４３】
上記の構成によれば、第一の内壁または第二の内壁に加えて、第一の内壁と第二の内壁とに挟まれた位置に透明部材によって支持された島部によって、スリットを好適に遮蔽することができる。
【００４４】
本発明の態様６に係る筐体は、上記態様３〜５において、前記第一の内壁は、屈曲しており、前記第二の内壁は、前記第一の内壁に対応するように屈曲していてもよい。
【００４５】
上記の構成によれば、第一の内壁と第二の内壁とが対応するように屈曲することで、スリットを屈曲させることができる。これにより、どのような方向から観察しても、スリットが金属枠によって遮蔽されるため、スリットが目立つことを好適に抑制することができる。
【００４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００４７】
本発明は、携帯通信端末（例えば、携帯型のスマートフォンなど）の筐体に利用することができる。
【符号の説明】
【００４８】
３  筐体
５  スリット
５ａ  開口部
５ｂ  領域
６  金属枠
６ａ、６ｂ  内壁
６ａａ、６ａｂ、６ｂａ、６ｂｂ  部分
６ｃ  島部
７  透明部材
１０  無線部
１１  給電部
【図１】
2019097039.tif 000003
【図２】
2019097039.tif 000004
【図３】
2019097039.tif 000005
【図４】
2019097039.tif 000006
【図５】
2019097039.tif 000007
【図６】
2019097039.tif 000008
【図７】
2019097039.tif 000009